【手続補正書】
【提出日】平成16年9月9日(2004.9.9)
【手続補正１】
【補正対象書類名】特許請求の範囲
【補正対象項目名】全文
【補正方法】変更
【補正の内容】
【特許請求の範囲】
【請求項１】
コンテンツ対象（２０）と著作権対象（２）の分離に基づきダウンロード管理機構を使用してストリーミング・メディア（２２）に対する著作権を管理する装置であって、前記著作権対象が前記コンテンツ対象及び／または前記ストリーミング・メディアを使用する権利を定義する使用規則（６）を有している装置において、前記コンテンツ対象は、前記ストリーミング・メディアの開始手段（２３）を有し、これにより、前記ダウンロード管理機構は、ストリーミング・メディアの送信システムにおいて著作権管理のために再使用することが可能となり、それにより、ダウンロードとストリーミングの両方のために前記ダウンロード管理機構が使用されることを特徴とする装置。
【請求項２】
前記開始手段は、前記ストリーミング・メディアのセッション記述、ＳＤＰ記述、前記ストリーミング・メディアに対するＵＲＬまたはＳＭＩＬファイルを有することを特徴とする請求項１記載の装置。
【請求項３】
前記著作権対象（２）は、前記コンテンツ対象の少なくとも一部（２３）の暗号による保護に関連する第１の暗号データ（７）を含むことを特徴とする請求項１または２記載の装置。
【請求項４】
前記コンテンツ対象（２０）は、前記ストリーミング・メディア（２２）の暗号による保護のための第２の暗号データを更に有することを特徴とする請求項３記載の装置。
【請求項５】
前記第２の暗号データは、少なくとも１つの暗号鍵（２４）を有することを特徴とする請求項４記載の装置。
【請求項６】
前記第２の暗号データは、前記ストリーミング・メディアを保護する幾つかの暗号鍵（２４）を有することを特徴とする請求項４記載の装置。
【請求項７】
著作権対象（２）と、これに関連するコンテンツ対象（２０）との分離に基づきダウンロード管理機構を使用してストリーミング・メディアに対する著作権を管理する方法であって、前記著作権対象が前記コンテンツ対象及び／または前記ストリーミング・メディアを使用する権利を定義する使用規則（６）を有している方法において、前記コンテンツ対象（２０）に前記ストリーミング・メディア用の開始記述（２３）を提供するステップを有し、これにより、前記ダウンロード管理機構は、ストリーミング・メディアの送信システムにおいて著作権管理のために再使用可能となり、それにより、メディアのダウンロードとストリーミングの両方のために前記ダウンロード管理機構が使用されることを特徴とする方法。
【請求項８】
前記ストリーミング・メディアのセッション記述の形で、ＳＤＰ記述の形で、前記ストリーミング・メディアのＵＲＬの形で、またはＳＭＩＬファイルの形で前記開始記述（２３）を提供することを特徴とする請求項７記載の方法。
【請求項９】
前記コンテンツ対象の少なくとも一部を暗号で保護し（２５）、この保護のために使用される第１の暗号データ（７）を前記著作権対象に提供することを特徴とする請求項７または８記載の方法。
【請求項１０】
前記第１の暗号データを暗号で保護することを特徴とする請求項９記載の方法。
【請求項１１】
前記ストリーミング・メディアを暗号で保護し、前記ストリーミング・メディアの保護のために使用される第２の暗号データ（２４）を前記コンテンツ対象に提供することを特徴とする請求項９記載の方法。
【請求項１２】
セキュリティ・プロトコルを使用して前記ストリーミング・メディアを保護することを特徴とする請求項１１記載の方法。
【請求項１３】
セキュリティ・プロトコルとして確実なリアルタイム輸送プロトコル（ＳＲＴＰ）を使用することを特徴とする請求項１２記載の方法。
【請求項１４】
ダウンロード用の著作権管理システムにおいてダウンロード可能な対象として前記コンテンツ対象（２０）を送信し、それにより、ストリーミング・メディアの送信システムにおいて著作権管理のための前記著作権管理システムの著作権管理用の機構を再使用することを特徴とする請求項７記載の方法。
【請求項１５】
前記デジタル・メディアの一部を前記コンテンツ対象に提供し、前記デジタル・メディアに対し権利を有しないまたは制限された権利を有するユーザに対し、そのように供給されたコンテンツ対象を送信することを特徴とする請求項７記載の方法。
【請求項１６】
前記コンテンツ対象（２０）及び／または前記著作権対象（２）を暗号化及び／または完全性保護により保護することを特徴とする請求項７記載の方法。
【請求項１７】
著作権対象（２）とこれに関連するコンテンツ対象（２０）の分離に基づきダウンロード管理機構を使用してデジタル・ストリーミング・メディアを配信し、このデジタル・ストリーミング・メディアに関する著作権を管理するシステムであって、
コンテンツ対象を発生する手段（３５）と、
著作権対象を発生する手段（３６）と、
前記コンテンツ対象（２０）の少なくとも一部の暗号による保護で使用されるコンテンツ鍵手段を発生すると共にストリーミング時に前記メディアの暗号による保護で使用されるメディア鍵手段（２４）を発生する手段（３３）とを有するシステムにおいて、
前記ストリーミング・メディアを提供するサーバ手段（３２）と、
前記ストリーミング・メディアに関する開始記述を発生する手段（３５）と、
前記メディア鍵手段を記憶すると共に前記ストリーミング・メディアの暗号による保護で使用される前記記憶されたメディア鍵手段の検索を可能にする手段（３４）とを有し、これにより、前記ダウンロード管理機構は、ストリーミング・メディアの送信システムにおいて著作権管理のために再使用可能となり、それにより、メディアのダウンロードとストリーミング・メディアの両方のために前記ダウンロード管理機構が使用されることを特徴とするシステム。
【請求項１８】
前記開始記述手段（３５）は、前記ストリーミング・メディアのセッション記述、ＳＤＰ記述、前記ストリーミング・メディアに対するＵＲＬまたはＳＭＩＬファイルを発生することを特徴とする請求項１７記載のシステム。
【請求項１９】
コンテンツ対象（２０）と著作権対象（２）の分離に基づくダウンロード管理機構を使用して、デジタル・メディア（２２）を配信し保護する方法であり、前記デジタル・メディアは、ストリーミング・サーバ（３２）からクライアント（１１）にストリーミングされ、このストリーミングされたデジタル・メディアの著作権管理及び／または前記コンテンツ対象の管理をも可能にする方法であって、
前記クライアントが前記デジタル・メディアに関する情報を含む配信サーバ（９）において前記デジタル・メディアの配信を要求するステップ（２６）と、
前記配信サーバが前記要求に応答して前記クライアントに対してメディア・データ（４）を含む第１の部分を備えているコンテンツ対象（２０）であって暗号コンテンツ鍵手段（２５）で保護されたコンテンツ対象（２０）を配信するステップ（２７）と、
前記配信サーバが前記要求に応答して前記クライアントに対して前記コンテンツ対象及び／または前記ストリーミング・メディアを使用する権利を定義する使用規則（６）と、更に前記コンテンツ鍵手段（７）とを含む著作権対象（２）を同様に配信するステップ（２８）と、
前記クライアントが前記著作権対象と前記コンテンツ対象の受信時に前記著作権対象に含まれる情報に基づいて前記コンテンツ対象及び／またはストリーミング・メディアに対する権利を執行するステップとを有する方法において、
前記ストリーミング・メディアの開始記述と、前記ストリーミング・メディアの保護の場合に使用される暗号メディア鍵手段（２４）とを含む前記コンテンツ対象内に設けられた第２の部分（２３）を読み取るように前記コンテンツ鍵手段（７）を使用して前記コンテンツ対象にアクセスし、
前記開始記述の読み取りに応答して前記クライアントは、このクライアントと前記ストリーミング・サーバとの間に通信手段を設定することによりメディアのストリーミングを開始し（２９）、
前記通信手段の設定に続いて前記ストリーミング・サーバは、前記メディア鍵手段を使用して前記ストリーミング・メディアを保護し、このように保護されたストリーミング・メディアを前記クライアントに送り（３０）、
前記保護されたストリーミング・メディアの受信時に、前記クライアント（１１）は、前記メディア鍵手段（２４）を使用して前記デジタル・メディアにアクセスし、前記使用規則に従って前記アクセスされたストリーミング・メディアをレンダリングし、これにより、前記ダウンロード管理機構は、ストリーミング・メディアの送信システムにおいて著作権管理のために再使用が可能となり、それにより、メディアのダウンロードとストリーミング・メディアの両方のために前記ダウンロード管理機構が使用されることを特徴とする方法。
【請求項２０】
前記開始記述には、
前記ストリーミング・メディアのＵＲＬ、及び／または
前記サーバと前記クライアントの間に通信手段の設定に関するメタ・データ、及び／または
前記サーバから前記クライアントへの前記ストリーミング・メディアの輸送のためのストリーミング・メディア・プロトコルに対する言及、及び／または
前記ストリーミング・メディアに関するコーデック情報とを含める更なるステップを有する請求項１９記載の方法。
【請求項２１】
セキュリティ・プロトコルを使用して前記ストリーミング・メディアを保護することを特徴とする請求項１９記載の方法。
【請求項２２】
前記ストリーミング・メディアのストリーミング・セッションを記述するＳＤＰ記述（セッション・ディスクリプション・プロトコル）の形で前記開始記述を提供することを特徴とする請求項１９記載の方法。
【請求項２３】
前記ＳＤＰ記述に前記暗号メディア鍵手段（２４）を含めることを特徴とする請求項２２記載の方法。
【請求項２４】
前記ＳＤＰ記述とは別に前記暗号メディア鍵手段（２４）を提供することを特徴とする請求項２２記載の方法。
【請求項２５】
ＳＭＩＬファイルの形で前記開始記述を提供することを特徴とする請求項１９記載の方法。
【請求項２６】
前記ＳＭＩＬファイルに前記暗号メディア鍵手段（２４）を含めることを特徴とする請求項２５記載の方法。
【請求項２７】
前記暗号メディア鍵手段を前記ＳＭＩＬファイルとは別に設けることを特徴とする請求項２５記載の方法。
【請求項２８】
前記ストリーミング・メディアのＵＲＬの形で前記開始記述（２３）を提供することを特徴とする請求項１９記載の方法。
【請求項２９】
前記ストリーミング・メディアの保護のため幾つかの暗号メディア鍵手段（２４）を使用することを特徴とする請求項１９記載の方法。
【請求項３０】
前記暗号メディア鍵手段の管理の情報を前記開始記述（２３）に含め、前記情報は、前記ストリーミング・メディアの暗号による保護及び／または前記最初の鍵（２４）から得られた新しい鍵で前記ストリーミング・メディアのデータの完全性の確認を可能にすることを特徴とする請求項１９記載の方法。
【請求項３１】
前記コンテンツ対象のメタ・データ部分（８）に配信サーバ（９）のＵＲＬ（ユニフォーム・リソース・ロケータ）を含めることを特徴とする請求項１９記載の方法。
【請求項３２】
ストリーミング輸送プロトコルとして確実なリアルタイム輸送プロトコル（ＳＲＴＰ）を使用することを特徴とする請求項１９記載の方法。
【請求項３３】
暗号情報を得て前記ストリーミング・デジタル・メディアの完全性保護及び／または受信確認のために前記暗号メディア鍵手段（２４）を使用することを特徴とする請求項１９記載の方法。
【請求項３４】
ＨＴＴＰ（ハイパーテキスト・トランスファ・プロトコル）及び／またはＷＡＰ（ワイアレス・アプリケーション・プロトコル）及び／またはＳＭＳ（ショート・メッセージ・サービス）を使用して前記コンテンツ対象（２０）と著作権対象（２）を前記クライアント（１１）に送ることを特徴とする請求項１９記載の方法。
【請求項３５】
暗号化及び／または完全性保護により前記コンテンツ対象及び／またはストリーミング・デジタル・メディアを保護することを特徴とする請求項１９記載の方法。
【請求項３６】
前記著作権対象（２）及び／または前記コンテンツ対象（２０）を前記クライアントに無防備で送ることを特徴とする請求項１９記載の方法。